(57)【特許請求の範囲】
【請求項１】
平面視矩形のパネル状に形成された浴室照明装置であって、
浴室の天井部に設けられる面発光ユニットを複数備え、
前記複数の面発光ユニットの夫々が、発光装置と導光板とを備え、
前記導光板は、
前記導光板の端面で構成されて、前記発光装置から発した光を受ける入光面と、
前記導光板の板面で構成されて、前記入光面から入射した光を前記浴室に向けて出射する出光面とを備え、
前記複数の面発光ユニットのそれぞれが備える前記導光板が、平面状に複数並べて配置されたことを特徴とする浴室照明装置。
【請求項２】
前記発光装置が、
前記入光面の長手方向に並べて配置され、前記入光面に向かって光を発する複数の光源を備えたことを特徴とする請求項１に記載の浴室照明装置。
【請求項３】
前記発光装置が、
光源と、
前記入光面に沿って配置された導光棒とを備え、
前記導光棒が、
前記導光棒の長さ方向の端面で構成され、前記光源から発した光を受ける入射面と、
前記入射面から入射した光を前記導光板の前記入光面に向けて出射する出射面とを備えたことを特徴とする請求項１に記載の浴室照明装置。
【請求項４】
前記浴室照明装置は、
透光性を有し、前記導光板の前記出光面となる下面を覆うカバーを備え、
前記カバーが、前記浴室の天井面に対して面一状に配置される下面を備えたことを特徴とする請求項１〜３のいずれか１項に記載の浴室照明装置。
【発明の詳細な説明】
【技術分野】
【０００１】
本発明は、浴室内を照明する浴室照明装置に関する。
【背景技術】
【０００２】
特許文献１には、浴室の天井に設けられる浴室照明装置が開示されている。この浴室照明装置は、線状に光るライン照明であって、一直線に配置された複数の導光材と、各導光材に光を出射する光源ユニットを備えている。
【先行技術文献】
【特許文献】
【０００３】
【特許文献１】国際公開第２０１１／１３２４５９号
【発明の概要】
【発明が解決しようとする課題】
【０００４】
ところで、特許文献１の浴室照明装置は、線状に発光するため、浴室の広い範囲を照明することが難しいという課題がある。
【０００５】
本発明は前記事情に鑑みてなされたものであって、浴室の広い範囲を照明できる浴室照明装置を提供することを課題とする。
【課題を解決するための手段】
【０００６】
前記課題を解決するために本発明の浴室照明装置は、平面視矩形のパネル状に形成された浴室照明装置であって、浴室の天井部に設けられる面発光ユニットを複数備え、前記複数の面発光ユニットの夫々が、発光装置と導光板とを備え、前記導光板は、前記導光板の端面で構成されて、前記発光装置から発した光を受ける入光面と、前記導光板の板面で構成されて、前記入光面から入射した光を前記浴室に向けて出射する出光面とを備え、前記複数の面発光ユニットのそれぞれが備える前記導光板が、平面状に複数並べて配置されたことを特徴とする。
【発明の効果】
【０００７】
本発明に係る浴室照明装置は、複数の面発光ユニットのそれぞれの発光装置が発光することで、平面状に並べて配置された複数の導光板のそれぞれが発光し、浴室内の広い範囲を照明できる。
【図面の簡単な説明】
【０００８】
【図１】図１は、本発明の実施形態の浴室照明装置を設置した状態を示す斜視図である。
【図２】図２は、前記浴室照明装置の分解斜視図である。
【図３】図３は、前記浴室照明装置の面発光ユニットを示す斜視図である。
【図４】図４は、前記浴室照明装置を設置した状態を示す断面図である。
【図５】図５Ａおよび図５Ｂは、前記浴室照明装置の第１面発光ユニットを取付枠に仮固定する様子を順に示した斜視図である。
【図６】図６は、前記浴室照明装置の第２面発光ユニットを取付枠に仮固定する様子を示した斜視図である。
【図７】図７は、変形例の面発光ユニットを示す平面図である。
【図８】図８は、変形例の浴室照明装置を示す斜視図である。
【図９】図９は、他の変形例の浴室照明装置を示す斜視図である。
【図１０】図１０は、変形例の取付枠を示す斜視図である。
【発明を実施するための形態】
【０００９】
以下、添付図面に基づいて本発明の実施形態について説明する。本実施形態の浴室照明装置１は、図１に示すように、浴室９の天井部分に設けられる。なお、浴室照明装置１が設置される箇所は、浴室９の天井部分に限られず、浴室９の壁部分に設けられてもよい。
【００１０】
本実施形態の浴室９は、複数の天井パネル９０、複数の壁パネル９１、および床パンを備えたユニットルームである。
【００１１】
浴室９の４方の壁は、複数の壁パネル９１で構成されている。浴室９は、天井パネル９０として、第１天井パネル９２と第２天井パネル９３を備えている。浴室９の天井は、第１天井パネル９２、第２天井パネル９３、および浴室照明装置１で構成されている。第１天井パネル９２、第２天井パネル９３、および浴室照明装置１は、いずれも壁パネル９１上に設置されている。
【００１２】
なお、浴室９の天井は、浴室照明装置１以外の部分が２枚の天井パネル９０で構成されているが、１枚の天井パネルで構成されてもよいし、３枚以上の天井パネルで構成されてもよい。また、天井全体が浴室照明装置１で構成されてもよい。
【００１３】
第１天井パネル９２および第２天井パネル９３は、長さ方向が平行な平面視矩形状に形成されている。浴室照明装置１は、長さ方向が第１天井パネル９２の長さ方向と直交する平面視矩形のパネル状に形成されている。第１天井パネル９２と第２天井パネル９３は、浴室照明装置１の長辺に沿って並べて配置され、互いに隣接している。
【００１４】
第１天井パネル９２には、浴室乾燥機を取り付けるための取着口９４が形成されている。取着口９４は、第１天井パネル９２において浴室照明装置１側に偏った位置に形成されている。
【００１５】
第２天井パネル９３には、浴室９内から天井裏を点検するための点検口９５が形成されている。点検口９５は、第２天井パネル９３において浴室照明装置１側に偏った位置に形成されている。
【００１６】
点検口９５は、第２天井パネル９３に取り付けられた点検蓋で閉塞される。点検蓋は、第２天井パネル９３に対して着脱可能である。作業者は、点検蓋を取り外すことで、点検口９５を介して、浴室照明装置１および浴室乾燥機のメンテナンスを行うことができる。
【００１７】
第１天井パネル９２および第２天井パネル９３のそれぞれは、隣接する２辺が壁パネル９１上に配置されて壁パネル９１に連結されている。
【００１８】
床パンで構成された浴室９の床には、片側に浴槽が設置されている。この床において浴槽と反対側の部分は、洗い場を構成している。例えば第１天井パネル９２は、浴槽の上方位置に配置され、第２天井パネル９３は洗い場の上方位置に配置される。
【００１９】
なお、第１天井パネル９２、第２天井パネル９３、および浴室照明装置１の位置は前記に制限されない。例えば、第１天井パネル９２が洗い場の上方位置に配置され、第２天井パネル９３が浴槽の上方位置に配置されてもよい。この場合、浴室照明装置１は浴槽と洗い場の両者の上方に配置される。
【００２０】
本実施形態の浴室照明装置１は、図２に示すように、取付枠２、複数の面発光ユニット４、およびカバー７を備えている。取付枠２は、図１に示す壁パネル９１に取り付けられ、各面発光ユニット４は、取付枠２に取り付けられている。すなわち、各面発光ユニット４は、取付枠２を介して壁パネル９１に取り付けられている。なお、取付枠２は、壁パネル９１に加えて、隣接する第１天井パネル９２および第２天井パネル９３にも連結されてもよいが、連結されなくてもよい。
【００２１】
図２に示すように、取付枠２は、外枠部２０と、外枠部２０の内側に設けられた複数の桟部２１とを備えている。
【００２２】
外枠部２０は、長さ方向が第１天井パネル９２の長さ方向と直交する矩形枠状に形成されており、取付枠２の周縁部を構成している。外枠部２０の３辺は、ねじ等の固着具を用いて壁パネル９１に取り付けられている。
【００２３】
以下、取付枠２の幅方向（外枠部２０の幅方向）を第１方向Ｄ１、取付枠２の長さ方向（外枠部２０の長さ方向）を第２方向Ｄ２と記載する。
【００２４】
各桟部２１は、外枠部２０の対向する２辺の間に架け渡されている。本実施形態の取付枠２は、桟部２１として、複数の第１棧部２２と、複数の第２棧部２３を備えている。
【００２５】
第１棧部２２は、第１方向Ｄ１に所定の間隔を介して複数設けられている。各第１棧部２２は、長さ方向が第２方向Ｄ２と平行であり、外枠部２０の第１方向Ｄ１と平行な対向する２辺の間に架け渡されている。
【００２６】
第２棧部２３は、第２方向Ｄ２に所定の間隔を介して複数設けられている。各第２棧部２３は、長さ方向が第１方向Ｄ１と平行であり、外枠部２０の第２方向Ｄ２と平行な対向する２辺の間に架け渡されている。
【００２７】
取付枠２には、外枠部２０の内側に複数の第１棧部２２と複数の第２棧部２３が設けられることで、矩形枠状の枠状部２４が、第１方向Ｄ１および第２方向Ｄ２に並んで複数形成されている。
【００２８】
取付枠２には、枠状部２４として、複数の第１枠状部２５と、複数の第２枠状部２６と、複数の第３枠状部２７が設けられている。各第１枠状部２５は、２本の第１棧部２２と２本の第２棧部２３で構成されている。各第２枠状部２６は、１本の第１棧部２２と２本の第２棧部２３と外枠部２０とで構成されている。各第３枠状部２７は、２本の第１棧部２２と１本の第２棧部２３と外枠部２０とで構成されている。
【００２９】
以下、取付枠２の第１方向Ｄ１における両端のうちの一方を第１端２８、他方を第２端２９と記載する。また、各枠状部２４において、第１方向Ｄ１に対向する２辺のうち、第１端２８側の辺を第１辺３２と記載し、第２端２９側の辺を第２辺３３と記載する。
【００３０】
取付枠２の各枠状部２４の第１辺３２には、ねじ８０（図４参照）を通すための上下方向に貫通した挿通孔３４が形成されている。
【００３１】
取付枠２の各枠状部２４には、面発光ユニット４が取り付けられている。取付枠２には、第２方向Ｄ２に並ぶ複数の面発光ユニット４が、第１方向Ｄ１に複数列設けられている。具体的に本実施形態の取付枠２には、第２方向Ｄ２に並ぶ複数の面発光ユニット４が３列設けられている。
【００３２】
各面発光ユニット４は、浴室９内（下側）に向かって平面状に発光する。本実施形態の各面発光ユニット４は、図３に示すように、導光板４０、反射板４１、発光装置４２、および複数のフレーム４３を備えている。
【００３３】
導光板４０の厚み方向は、上下方向と平行である。導光板４０は、枠状部２４の内側に形成された上下に貫通する開口と略同じ大きさの矩形状に形成されている。
【００３４】
図４に浴室照明装置１の設置構造の断面図を示す。図４に示すように、導光板４０は、入光面４４および出光面４５を備えている。
【００３５】
入光面４４は、導光板４０の端面で構成されている。本実施形態では、導光板４０の第１端２８側の端面が入光面４４になっている。
【００３６】
本実施形態の導光板４０には、拡散反射部４６が設けられている。拡散反射部４６は、導光板４０の厚み方向に直交する２つの板面のうち、一方の板面である上面（浴室９の外側を向く面）に設けられている。
【００３７】
拡散反射部４６は、例えば導光板４０の上面に印刷や蒸着によって反射性の物質を設けたり、微細な凹凸を設けたり、二色成形によって反射部分を設けたりすることによって構成される。拡散反射部４６は、入光面４４から導光板４０に入射した光を拡散して導光板４０の下面（浴室９内を向く面）側に反射する。
【００３８】
出光面４５は、導光板４０の下面（拡散反射部４６が設けられた面と反対側の板面）で構成されている。出光面４５は、拡散反射部４６で反射した光を、下側（浴室９内側）に向かって出射する。
【００３９】
反射板４１は、導光板４０の上面に沿って配置されている。反射板４１は、導光板４０の上面から上方に向かう光を導光板４０側に反射する。
【００４０】
発光装置４２は、導光板４０の入光面４４に対向し、入光面４４に向けて光を発する。なお、導光板４０は、対向する２辺を構成する端面のそれぞれが入光面４４であってもよく、この場合は、各入光面４４に対向する位置に発光装置４２が設けられる。
【００４１】
発光装置４２は、回路基板４７と複数の光源４８とを備えている。回路基板４７は、導光板４０の入光面４４に沿って配置されている。回路基板４７は、入光面４４の長さ方向（第２方向Ｄ２）に延びた板状に形成されている。
【００４２】
回路基板４７の入光面４４に対向する面には、光源４８が回路基板４７の長さ方向（第２方向Ｄ２）に複数並べて実装されている。各光源４８は、発光ダイオードである。なお、光源４８は、白熱電球や蛍光灯、有機エレクトロルミネッセンス等であってもよい。回路基板４７に設けられた各光源４８は、入光面４４に臨んでいる。
【００４３】
図３に示すように、導光板４０の入光面４４と反対側の端部と入光面４４側の端部のそれぞれには、フレーム４３が取り付けられている。以下、必要に応じて、導光板４０の入光面４４と反対側の端部に取り付けられるフレーム４３を第１フレーム４９と記載し、導光板４０の入光面４４側の端部に取り付けられるフレーム４３を第２フレーム５０と記載する。
【００４４】
各フレーム４３は、第２方向Ｄ２に延びている。第１フレーム４９は枠状部２４の第１辺３２と同じ長さを有し、第２フレーム５０は第２辺３３と同じ長さを有している。
【００４５】
第１フレーム４９は、導光板４０側となる側方に開口した第１溝部５１と、導光板４０と反対側となる側方に開口した第２溝部５２を備えている。
【００４６】
第１溝部５１には、導光板４０および反射板４１のそれぞれの第１フレーム４９側の縁部が嵌め込まれて固定されている。
【００４７】
第１フレーム４９の第２溝部５２は、第１溝部５１の溝奥部を構成する縦片部５４と、縦片部５４の上端部から導光板４０と反対側に突出した上片部５３と、縦片部５４の下端部から導光板４０と反対側に突出した下片部５５とで構成されている。
【００４８】
上片部５３は、下片部５５よりも導光板４０と反対側に突出しており、この突出部分には、ねじ８０（図４参照）を通すための上下方向に貫通した貫通孔５６が形成されている。
【００４９】
第２フレーム５０は、導光板４０側となる側方に開口した収納溝部５７と、収納溝部５７の導光板４０と反対側の端部の上端部から、導光板４０側と反対側に突出した固定片部５８を備えている。固定片部５８には、ねじ８０をねじ込むためのねじ孔５９が形成されている。
【００５０】
第２フレーム５０の収納溝部５７には、発光装置４２が収納されており、発光装置４２の回路基板４７は、第２フレーム５０に固定されている。
【００５１】
収納溝部５７の開口側部分には、導光板４０および反射板４１のそれぞれの第２フレーム５０側の端部が嵌め込まれて固定されている。
【００５２】
各面発光ユニット４は、図４に示すように、第１フレーム４９の第２溝部５２に、対応する枠状部２４の第２辺３３を嵌め込み、かつ第２フレーム５０の固定片部５８を対応する枠状部２４の第１辺３２に載置した状態で、取付枠２に取り付けられている。
【００５３】
面発光ユニット４は、例えば以下に示すように、取付枠２に対して、第１端２８側に位置する面発光ユニット４から順に取り付けられる。まず、作業者は、図５Ｂに示すように、取付枠２において最も第１端２８側に位置する面発光ユニット４（以下、第１面発光ユニット６０）を、取付枠２に仮固定する。
【００５４】
具体的に作業者は、まず、図５Ａに示すように、第１面発光ユニット６０の第１フレーム４９の上片部５３を、対応する枠状部２４の第２辺３３の上面に引っ掛ける。次に、作業者は、この引っ掛け部分を支点にして、第１面発光ユニット６０を下方に回転しながら、第１面発光ユニット６０を取付枠２の第２端２９側に押し込む。これにより、図４に示すように、第２フレーム５０の固定片部５８が、対応する枠状部２４の第１辺３２に載置される。また、第１フレーム４９の第２溝部５２に、対応する枠状部２４の第２辺３３が嵌め込まれて、第１面発光ユニット６０が取付枠２に仮固定される。なお、この仮固定の作業は、通常、浴室９内から行われるが、浴室９の外から行われてもよい。
【００５５】
次に作業者は、浴室９内からねじ８０を用いて、前記仮固定した第１面発光ユニット６０を取付枠２に本固定する。具体的に作業者は、対応する枠状部２４の第１辺３２に浴室９内からねじ８０を通し、このねじ８０を前記仮固定した第１面発光ユニット６０の第２フレーム５０のねじ孔５９にねじ込む。これにより、第１面発光ユニット６０は取付枠２に固定される。
【００５６】
次に作業者は、取付枠２において第１端２８側から数えて２番目に位置する面発光ユニット４（以下、第２面発光ユニット６１）を、取付枠２に仮固定する。
【００５７】
具体的に作業者は、まず、図６に示すように、第２面発光ユニット６１の第１フレーム４９の上片部５３を、対応する枠状部２４の第２辺３３の上面に引っ掛ける。次に、作業者は、この引っ掛け部分を支点にして、第２面発光ユニット６１を下方に回転しながら、第２面発光ユニット６１を取付枠２の第２端２９側に押し込む。これにより、図４に示すように、第２面発光ユニット６１の第２フレーム５０の固定片部５８が、先に取付枠２に取り付けた第１面発光ユニット６０の第１フレーム４９の上片部５３に載置される。また、第２面発光ユニット６１の第１フレーム４９の第２溝部５２に、対応する枠状部２４の第２辺３３が嵌め込まれ、これにより、第２面発光ユニット６１が取付枠２に仮固定される。なお、この仮固定の作業は、通常、浴室９内から行われるが、浴室９の外から行われてもよい。
【００５８】
次に作業者は、浴室９内からねじ８０を用いて、前記仮固定した第２面発光ユニット６１を取付枠２に本固定する。具体的に作業者は、第２面発光ユニット６１の対応する枠状部２４の第１辺３２に設けられた挿通孔３４、および第１面発光ユニット６０の第２フレーム５０の貫通孔５６に、浴室９内からねじ８０を通す。続いて作業者は、このねじ８０を前記仮固定した第２面発光ユニット６１の第２フレーム５０のねじ孔５９にねじ込む。これにより、第２面発光ユニット６１は、取付枠２に固定される。また、第２面発光ユニット６１に対応する枠状部２４の第１辺３２と、第２面発光ユニット６１の固定片部５８との間に、第１面発光ユニット６０の上片部５３が挟まれる。
【００５９】
そして、作業者は、以後同様に、取付枠２において第１端２８側から数えて３番目以降の面発光ユニット４を、最も第２端２９側に位置する面発光ユニット４が取り付けられるまで取付枠２に取り付ける。
【００６０】
このように各面発光ユニット４が取付枠２に取り付けられることで、取付枠２には、導光板４０が水平方向に平面状に並べて配置される。
【００６１】
各面発光ユニット４の導光板４０は、面発光ユニット４の各光源４８を発光させることで、平面状に発光する。具体的に面発光ユニット４において各光源４８から発した光は、まず入光面４４を介して導光板４０に入射し、導光板４０の内部を入光面４４と反対側の端面に向かって進行する。この光は、前記進行の過程で拡散反射部４６によって出光面４５側に反射して拡散し、この後、出光面４５から浴室９内に出射する。
【００６２】
浴室照明装置１は、各面発光ユニット４の光源４８が同時に発光することで、平面状に並べて配置された全ての導光板４０が発光する。
【００６３】
図４に示すように、カバー７は、取付枠２の下方に配置される。カバー７は、下面部を構成する表面部７０を有している。表面部７０は、浴室９内に臨んでいる。表面部７０は、取付枠２と略同じ大きさの矩形平板状に形成されており、取付枠２および全ての面発光ユニット４の下側を覆っている。
【００６４】
表面部７０の下面は、浴室照明装置１に隣接して設置された第１天井パネル９２の下面および第２天井パネル９３の下面と同レベルに位置し、第１天井パネル９２の下面および第２天井パネル９３の下面に対して面一状に配置される。
【００６５】
このようにカバー７の下面と浴室９の他の天井面を面一状に配置することで、カバー７の下面、第１天井パネル９２の下面、および第２天井パネル９３の下面で構成された天井面が連続したような外観となる。なお、前記面一状とは、カバー７の下面と他の天井面とが厳密に面一になる状態に限られず、浴室９内に居る人から見て略面一とみなせる程度であれば、カバー７の下面と他の天井面との間には、僅かな段差があってもよい。また、カバー７の下面と他の天井面は、面一状に配置されなくてもよい。
【００６６】
カバー７は、例えば浴室９内からカバー７に通したねじを取付枠２にねじ込むことで、取付枠２に対して着脱可能に取り付けられる。
【００６７】
なお、カバー７は、取付枠２に対して、カバー７と取付枠２の間を気密するパッキンを介して取り付けられてもよい。このようなパッキンを設けることで、面発光ユニット４が取り付けられた取付枠２とカバー７の表面部７０との間に、浴室９内の湿気や水、虫等が浸入することを抑制できる。
【００６８】
カバー７は、透光性を有している。なお、カバー７は、全部が透光性を有していてもよいし、表面部７０のみが透光性を有していてもよい。
【００６９】
また、本実施形態のカバー７の表面部７０には、各導光板４０の出光面４５から出射した光を拡散する機能が付与されている。この機能は、例えばカバー７の表面部７０に、シボ加工等の表面処理を施すことで付与される。
【００７０】
浴室照明装置１の全ての導光板４０が同時に発光したとき、各導光板４０の出光面４５から出射した光は、カバー７の表面部７０を通り、拡散して浴室９内に出射する。これにより、浴室９内が全体に亘って照明される。
【００７１】
前述したように、浴室照明装置１の各導光板４０は、平面状に並べて配置されている。このため、浴室９内に居る利用者は、天井の広い範囲に亘る部分が平面状に発光するように見える。このため、浴室照明装置１による照明は、あたかも浴室９に設けられた天窓から光が差し込むような照明となる。
【００７２】
また、作業者は、各面発光ユニット４を取付枠２から個別に取り外すことができ、これにより、浴室照明装置１のメンテナンス作業を行うことができる。このメンテナンス作業としては、例えば面発光ユニット４の光源４８を交換する作業が挙げられる。
【００７３】
面発光ユニット４を浴室取付枠２から取り外す作業は、例えば以下に示すように浴室９内から行われる。まず、浴室９内に居る作業者は、カバー７を取付枠２に固定しているねじを外して取付枠２から取り外す。次に作業者は、面発光ユニット４を取付枠２に固定しているねじ８０を、浴室９内から外す。次に作業者は、取付枠２に載置されている上片部５３を支点にし、面発光ユニット４の第２フレーム５０側を持ち上げて、第１フレーム４９の第２溝部５２から、枠状部２４の第２辺３３を外す。そして、作業者は、持ち上げた面発光ユニット４を枠状部２４の内側から浴室９内に引き出す。
【００７４】
なお、面発光ユニット４を浴室取付枠２から取り外す作業は、浴室９の外（天井裏）からのみ行えるようにしてもかまわない。
【００７５】
以上説明した本実施形態の浴室照明装置１は、以下に示す特徴を有している。浴室照明装置１は、面発光ユニット４を複数備える。複数の面発光ユニット４の夫々が、発光装置４２と導光板４０とを備える。導光板４０は、入光面４４と出光面４５を備える。入光面４４は、導光板４０の端面で構成されて、発光装置４２から発した光を受ける。出光面４５は、導光板４０の板面で構成されて、入光面４４から入射した光を浴室９に向けて出射する。複数の面発光ユニット４のそれぞれが備える導光板４０が、平面状に複数並べて配置される。
【００７６】
この特徴を有する浴室照明装置１は、複数の面発光ユニット４のそれぞれの発光装置４２が発光することで、平面状に並べて配置された複数の導光板４０のそれぞれが発光し、浴室９内の広い範囲を照明できる。
【００７７】
また、小型の面発光ユニット４を複数用いて、浴室９内の広い範囲を照明できる。このため、面発光ユニット４の設置作業や取り外し作業を容易にすることができる。また、他の照明装置で用いられる小型の導光板を、面発光ユニット４の導光板４０として利用することもできる。
【００７８】
また、浴室照明装置１は、本実施形態のように以下に示す特徴を有することが好ましい。発光装置４２が、入光面４４の長手方向に並べて配置され、入光面４４に向かって光を発する複数の光源４８を備える。
【００７９】
この特徴を有する浴室照明装置１は、入光面４４の長手方向に並べて配置された光源４８を用いて、導光板４０から平面状の光を発することができる。
【００８０】
また、浴室照明装置１は、本実施形態のように、複数の面発光ユニット４のそれぞれが、浴室９の天井部に設けられるユニットであることが好ましい。
【００８１】
この特徴を有する浴室照明装置１は、浴室９の天井側において、平面状に並べて配置された複数の導光板４０から光を発することができる。このため、あたかも浴室９に設けられた天窓から光が差し込むような照明とすることができる。
【００８２】
また、浴室照明装置１は、本実施形態のように以下の特徴を有することが好ましい。浴室照明装置１は、透光性を有し、導光板４０の出光面４５となる下面を覆うカバー７を備える。カバー７が、浴室９の天井面に対して面一状に配置される下面を備える。
【００８３】
この特徴を有する浴室照明装置１は、カバー７の下面と浴室９の天井面が連続したような外観となる。このため、浴室照明装置１が天井と一体的に見えて外観を良くすることができる。
【００８４】
図７に変形例の面発光ユニット４Ａを示す。なお、以下の変形例の面発光ユニット４Ａの説明では、前記実施形態の面発光ユニット４に対応する各構成要素については、前記実施形態で用いた名称を用いて説明し、前記実施形態と重複する点については説明を省略する。また、変形例の面発光ユニット４Ａの各構成要素には、前記実施形態の各構成要素に付した符合の末尾にＡを追加した符合を付す。
【００８５】
面発光ユニット４Ａの発光装置４２Ａは、導光棒６２Ａ、複数の回路基板４７Ａ、および複数の光源４８Ａを備えている。導光棒６２Ａは、導光板４０Ａの入光面４４Ａに沿って配置されている。導光棒６２Ａは、入射面６３Ａと出射面６４Ａを備えている。
【００８６】
入射面６３Ａは、導光棒６２Ａの長さ方向の端面で構成されている。図７に示す例では、導光棒６２Ａの長さ方向の両端面のそれぞれが入射面６３Ａになっている。
【００８７】
本実施形態の導光棒６２Ａには、拡散部６５Ａが設けられている。拡散部６５Ａは、導光棒６２Ａの導光板４０Ａと反対側を向く面に設けられている。拡散部６５Ａは、例えば導光棒６２Ａの導光板４０Ａと反対側を向く面に、印刷や蒸着によって反射性の物質を設けたり、微細な凹凸を設けたり、二色成形によって反射部分を設けたりすることによって設けられる。拡散部６５Ａは、入射面６３Ａから導光棒６２Ａに入射した光を拡散して導光板４０Ａ側に反射する。
【００８８】
出射面６４Ａは、導光棒６２Ａの導光板４０Ａ側を向く面で構成されており、導光板４０Ａの入光面４４Ａに対向している。出射面６４Ａは、拡散部６５Ａで反射した光を、導光板４０Ａの入光面４４Ａに向かって出射する。
【００８９】
導光棒６２Ａの長さ方向の両側には、回路基板４７Ａが設けられている。各回路基板４７Ａは、導光棒６２Ａの対応する入射面６３Ａに対向している。各回路基板４７Ａの入射面６３Ａに対向する面には、光源４８Ａが実装されている。光源４８Ａは、発光ダイオードである。なお、光源４８Ａは、白熱電球や蛍光灯、有機エレクトロルミネッセンス等であってもよい。回路基板４７Ａに設けられた光源４８Ａは、導光棒６２Ａの入射面６３Ａに臨んでいる。
【００９０】
各光源４８Ａは、導光棒６２Ａの対応する入射面６３Ａに対向し、入射面６３Ａに向けて光を発する。なお、導光棒６２Ａは、長さ方向の１方の端面のみが入射面６３Ａであってもよく、この場合は、この入射面６３Ａに対向する位置にのみ光源４８Ａが設けられる。
【００９１】
発光装置４２Ａは第２フレーム５０Ａに収納されており、導光棒６２Ａおよび複数の回路基板４７Ａは第２フレーム５０Ａに固定されている。
【００９２】
導光板４０Ａは、光源４８Ａが発光することで、平面状に発光する。具体的に各光源４８Ａから発した光は、まず対応する入射面６３Ａを介して導光棒６２Ａに入射し、導光棒６２Ａの内部を当該入射面６３Ａと反対側の端面に向かって進行する。この光は、前記進行の過程で拡散部６５Ａで出射面６４Ａ側に反射して拡散し、この後、出射面６４Ａから導光板４０Ａの入光面４４Ａに向かって出射する。そして、この光が入光面４４Ａを介して導光板４０Ａに入射することで、導光板４０Ａが発光する。
【００９３】
以上説明した変形例の面発光ユニット４Ａは、以下の特徴を有している。発光装置４２Ａは、光源４８Ａと、入光面４４Ａに沿って配置された導光棒６２Ａとを備える。導光棒６２Ａが、入射面６３Ａと出射面６４Ａを備える。入射面６３Ａは、導光棒６２Ａの長さ方向の端面で構成され、光源４８Ａから発した光を受ける。出射面６４Ａは、入射面６３Ａから入射した光を導光板４０の入光面４４に向けて出射する。
【００９４】
この面発光ユニット４Ａは、光源４８Ａから発した光を用いて導光棒６２Ａが発光し、この導光棒６２Ａの光を用いて導光板４０Ａが発光する。
【００９５】
次に変形例の浴室照明装置１Ｂを図８に示す。なお、本変形例の浴室照明装置１Ｂの説明では、前記実施形態の浴室照明装置１に対応する各構成要素については、前記実施形態で用いた名称を用いて説明し、前記実施形態と重複する点については説明を省略する。また、本変形例の浴室照明装置１Ｂの各構成要素には、前記実施形態の浴室照明装置１の各構成要素に付した符合の末尾にＢを追加した符合を付す。
【００９６】
本変形例の浴室照明装置１Ｂは、取付枠２Ｂが前記実施形態における第１棧部２２を備えておらず、桟部２１Ｂとして、複数の第２棧部２３Ｂのみを備えている。取付枠２Ｂには、枠状部２４Ｂとして、複数の第１枠状部２５Ｂと、複数の第２枠状部２６Ｂが設けられている。各第１枠状部２５Ｂは、外枠部２０Ｂと２つの第２棧部２３Ｂで構成されている。各第２枠状部２６Ｂは、外枠部２０Ｂと１つの第２棧部２３Ｂで構成されている。
【００９７】
取付枠２Ｂには、第２方向Ｄ２に並ぶ複数の面発光ユニット４Ｂが、１列だけ設けられている。各面発光ユニット４Ｂは、対応する枠状部２４Ｂに、前記実施形態の第１面発光ユニット６０と同様に取り付けられる。
【００９８】
なお、図８に示す浴室照明装置１Ｂには、面発光ユニット４Ｂが、第２方向Ｄ２に８枚設けられているが、面発光ユニット４Ｂが第２方向Ｄ２に並べて設けられる数は８枚に制限されない。
【００９９】
次に他の変形例の浴室照明装置１Ｃを図９に示す。なお、本変形例の浴室照明装置１Ｃの説明では、前記実施形態の浴室照明装置１に対応する各構成要素については、前記実施形態で用いた名称を用いて説明し、前記実施形態と重複する点については説明を省略する。また、本変形例の浴室照明装置１Ｃの各構成要素には、前記実施形態の浴室照明装置１の各構成要素に付した符合の末尾にＣを追加した符合を付す。
【０１００】
第３変形例の浴室照明装置１Ｃは、取付枠２Ｃが前記実施形態における第２棧部２３を備えておらず、桟部２１Ｃとして、複数の第１棧部２２Ｃのみを備えている。取付枠２Ｃには、枠状部２４Ｃとして、第１枠状部２５Ｃと、複数の第２枠状部２６Ｃが設けられている。第１枠状部２５Ｃは、外枠部２０Ｃと２つの第１棧部２２Ｃで構成されている。各第２枠状部２６Ｃは、外枠部２０Ｃと１つの第１棧部２２Ｃで構成されている。
【０１０１】
以下、取付枠２Ｃの第２方向Ｄ１における両端のうちの一方を第３端３５Ｃ、他方を第４端３６Ｃと記載する。また、各枠状部２４Ｃにおいて、第２方向Ｄ２に対向する２辺のうち、第３端３５Ｃ側の辺を第３辺３７Ｃと記載し、第４端３６Ｃ側の辺を第４辺３８Ｃと記載する。
【０１０２】
取付枠２Ｃの各枠状部２４Ｃの第３辺３７Ｃには、ねじを通すための上下方向に貫通した挿通孔が形成されている。取付枠２Ｃには、第２方向Ｄ１に並ぶ複数の面発光ユニット４Ｃが、１列だけ設けられている。
【０１０３】
各面発光ユニット４Ｃの導光板４０Ｃの入光面は、導光板４０の第３端３５Ｃ側の端面で構成されている。各面発光ユニット４Ｃは、対応する枠状部２４Ｃに、前記実施形態の第１面発光ユニット６０と同様に取り付けられる。
【０１０４】
なお、図９に示す浴室照明装置１Ｃには、面発光ユニット４Ｃが、第１方向Ｄ１に３枚設けられているが、面発光ユニット４Ｃが第１方向Ｄ１に並べて設けられる数は、３枚に制限されない。
【０１０５】
また、変形例の浴室照明装置１Ｂの取付枠２Ｂ、および他の変形例の浴室照明装置１Ｃの取付枠２Ｃは、図１０に示す外枠部２０ａだけで構成された取付枠２ａであってもよい。この取付枠２ａには、外枠部２０ａにおいて各面発光ユニット４のねじ孔５９に対応する箇所にねじを挿通するための挿通孔３４ａが形成されている。
【０１０６】
また、変形例の浴室照明装置１Ｂの発光装置、および他の変形例の浴室照明装置１Ｃの発光装置は、前記実施形態の発光装置４２であってもよいし、変形例の発光装置４２Ａであってもよい。
【０１０７】
また、この他、浴室照明装置１、１Ｂ、１Ｃは、本発明の趣旨を逸脱しない範囲で適宜設計変更可能である。
【符号の説明】
【０１０８】
１  浴室照明装置
４  面発光ユニット
４０  導光板
４２  発光装置
４４  入光面
４５  出光面
４８  光源
４８Ａ  光源
６２Ａ  導光棒
６３Ａ  入射面
６４Ａ  出射面
７  カバー
【図１】
0006481929.tif 000002
【図２】
0006481929.tif 000003
【図３】
0006481929.tif 000004
【図４】
0006481929.tif 000005
【図５】
0006481929.tif 000006
【図６】
0006481929.tif 000007
【図７】
0006481929.tif 000008
【図８】
0006481929.tif 000009
【図９】
0006481929.tif 000010
【図１０】
0006481929.tif 000011